(57)【要約】【課題】外径寸法の異なる複数種類のヘルメットにそれぞれ適正に装着することのできるヘルメット用補強具を提供する。【解決手段】環状に連結した補強具本体２をヘルメットＨに装着することにより、補強具本体２によってヘルメットＨが径方向に補強され、横方向からの衝撃や圧迫に対するヘルメットＨの強度が高められる。この場合、補強具本体２の両端側に設けた一対の連結部３を互いに補強具本体２の周方向任意の位置で連結可能に形成したので、ヘルメットＨの外径寸法に応じて補強具本体２の連結時の周長を任意に調整することができる。従って、外径寸法の異なる複数種類のヘルメットにそれぞれ適正に装着することができ、汎用性の向上を図ることができる。【選択図】図１
2006336172.tif 000002
【特許請求の範囲】
【請求項１】
ヘルメットの周方向に延びる補強具本体と、補強具本体の両端側を互いにヘルメットの周方向への移動が規制されるように連結する連結部とを備え、環状に連結した補強具本体をヘルメットの外周面に装着して使用するヘルメット用補強具において、
前記各連結部を互いに補強具本体の周方向任意の位置で連結可能に形成した
ことを特徴とするヘルメット用補強具。
【請求項２】
前記各連結部を互いに補強具本体の長手方向に直交する方向に係合する複数の凹部及び複数の凸部によって形成し、各凹部及び各凸部を補強具本体の周方向に等間隔に配列した
ことを特徴とする請求項１記載のヘルメット用補強具。
【請求項３】
前記各連結部を係合状態で保持可能な保持部材を備えた
ことを特徴とする請求項２記載のヘルメット用補強具。
【請求項４】
前記保持部材を、係合状態の各連結部を外側から覆うように環状に形成するとともに、各連結部の係合状態を解除可能な位置まで補強具本体の周方向に移動可能に設けた
ことを特徴とする請求項３記載のヘルメット用補強具。
【請求項５】
前記補強具本体の周方向所定位置に設けられ、ヘルメットの縁部に係止することにより補強具本体をヘルメットに固定可能な固定部材を備えた
ことを特徴とする請求項１、２、３または４記載のヘルメット用補強具。
【発明の詳細な説明】
【技術分野】
【０００１】
本発明は、工事現場等において作業者のヘルメットに装着して用いられるヘルメット用補強具に関するものである。
【背景技術】
【０００２】
一般に、工事現場等において使用されるヘルメットは、硬質の素材によって略半球状に形成され、作業現場の落下物から作業者の頭部を保護するようになっている。しかしながら、工事現場では上方からの落下物のみならず、例えば旋回する重機や、クレーンで吊り下げられた資材等が横方向から作業者の頭部に衝突するおそれもある。そこで、ヘルメットの周方向に延びる帯状の補強材をヘルメットの周縁部に装着することにより、ヘルメットを径方向に補強するようにしたものが知られている（例えば、特許文献１参照。）。
【特許文献１】実開平５−１０４２３号公報
【発明の開示】
【発明が解決しようとする課題】
【０００３】
ところで、前記ヘルメットの外径寸法は製造業者によって異なり、その周長も統一されているわけではない。しかしながら、前記従来例では、所定長さの帯状の補強材の両端部を互いに連結するようにしているため、環状に連結したときの周長と異なる外径寸法を有するヘルメットには装着することができず、汎用性に劣るという問題点があった。
【０００４】
本発明は前記問題点に鑑みてなされたものであり、その目的とするところは、外径寸法の異なる複数種類のヘルメットにそれぞれ適正に装着することのできるヘルメット用補強具を提供することにある。
【課題を解決するための手段】
【０００５】
本発明は前記目的を達成するために、ヘルメットの周方向に延びる補強具本体と、補強具本体の両端側を互いにヘルメットの周方向への移動が規制されるように連結する連結部とを備え、環状に連結した補強具本体をヘルメットの外周面に装着して使用するヘルメット用補強具において、前記各連結部を互いに補強具本体の周方向任意の位置で連結可能に形成している。
【０００６】
これにより、各連結部が互いに補強具本体の周方向任意の位置で連結可能に形成されていることから、ヘルメットの外径寸法に応じて補強具本体の連結時の周長を調整することができる。
【発明の効果】
【０００７】
本発明のヘルメット用補強具によれば、ヘルメットの外径寸法に応じて補強具本体の連結時の周長を任意に調整することができるので、外径寸法の異なる複数種類のヘルメットにそれぞれ適正に装着することができ、汎用性の向上を図ることができる。
【発明を実施するための最良の形態】
【０００８】
図１乃至図６は本発明の一実施形態を示すもので、図１は補強具及びヘルメットの斜視図、図２はヘルメットに装着された補強具の斜視図、図３はその側面断面図、図４及び図５は補強具本体の斜視図、図６は連結部の側面図である。
【０００９】
同図に示す補強具１は、ヘルメットＨの周方向に延びるように形成された補強具本体２と、補強具本体２の両端側にそれぞれ設けられた連結部３と、各連結部３を係合状態に保持する保持部材４と、補強具本体２をヘルメットＨに取付けるための一対の固定部材５とから構成されている。
【００１０】
補強具本体２は断面四角形状の帯状部材からなり、例えば繊維強化プラスチック、合成樹脂、金属等、高強度の素材によって形成されている。また、補強具本体２は、図３に示すようにその内周面がヘルメットＨの外周面の傾斜に沿ってテーパ状をなすように形成されている。
【００１１】
各連結部３は、互いに補強具本体２の周方向に直交する方向（上下方向）に係合する複数の凹部３ａ及び複数の凸部３ｂからなり、各凹部３ａ及び各凸部３ｂは補強具本体２の周方向に交互に設けられている。また、一方の連結部３には保持部材４の移動を規制するための一対の突起３ｃが設けられ、各突起３ｃは互いに補強具本体２の周方向に保持部材４よりもやや長い間隔をおいて配置されている。
【００１２】
保持部材４は係合状態の各連結部３に外側から覆うように筒状（環状）に形成され、補強具本体２に周方向に移動自在に嵌挿されている。
【００１３】
各固定部材５は、ヘルメットＨの縁部に係止可能な略Ｌ字状の部材からなり、補強具本体２の周方向二箇所に設けられている。
【００１４】
以上のように構成された補強具１は、各連結部３を互いに連結することにより補強具本体２が環状に連結される。その際、各連結部３の各凹部３ａ及び各凸部３ｂが互いに補強具本体２の長手方向に直交する方向に係合することにより、各連結部３がヘルメットＨの周方向への移動を規制されるように連結される。環状に連結された補強具１は、図１に示すようにヘルメットＨに上方から被せることにより、図２に示すようにヘルメットＨの下端側の外周面に装着され、各固定部材５をヘルメットＨの縁部に係止することによりヘルメットＨに固定される。これにより、補強具本体２によってヘルメットＨが径方向に補強されることから、横方向からの衝撃や圧迫に対するヘルメットＨの強度が高められる。
【００１５】
また、補強具１をヘルメットＨに装着する際、補強具本体２の周長がヘルメットＨの周長と合致しない場合は、補強具１の各連結部３によって補強具本体２の周長を調整する。即ち、図６(a) に示すように保持部材４を各連結部３の係合が解除可能な位置まで移動するとともに、図６(b) に示すように各連結部３の係合を解除し、各連結部３を互いに補強具本体２の周方向にずらして任意の位置で再び係合する。その際、各連結部３は凹部３ａ及び凸部３ｂの１ピッチＰずつ多段階にずらすことができる。そして、各連結部３を新たな位置で係合した後、図６(c) に示すように保持部材４を各連結部３を覆う位置まで移動する。これにより、各連結部３の係合解除が保持部材４によって規制される。その際、保持部材４は一方の突起３ｃを強制的に乗り越えて各連結部３の保持位置（各突起３ｃの間）に移動され、各連結部３の保持位置に移動した後は、各突起３ｃとの当接により各連結部３の保持位置からの移動を規制される。
【００１６】
このように、本実施形態のヘルメット用補強具によれば、補強具本体２の両端側に設けた一対の連結部３を互いに補強具本体２の周方向任意の位置で連結可能に形成したので、ヘルメットＨの外径寸法に応じて補強具本体２の連結時の周長を任意に調整することができる。従って、外径寸法の異なる複数種類のヘルメットにそれぞれ適正に装着することができ、汎用性の向上を図ることができる。
【００１７】
また、各連結部３を補強具本体２の周方向に等間隔で配列された複数の凹部３ａ及び複数の凸部３ｂによって形成し、各凹部３ａ及び各凸部３ｂを互いに補強具本体２の長手方向に直交する方向に係合するようにしたので、各連結部３の連結位置を凹部３ａ及び凸部３ｂの１ピッチＰずつ多段階にずらすことができ、補強具本体２の周長を的確に調整することができる。この場合、各凹部３ａと各凸部３ｂとの係合により、各連結部３を補強具本体２の周方向に移動しないように確実に連結することができ、補強具本体２の連結強度を高めることができる。
【００１８】
更に、各連結部３を係合状態で保持可能な保持部材４を備えているので、各連結部３が意図せずに外れることがなく、補強具本体２の両端部を確実に連結することができる。
【００１９】
また、前記保持部材４を、係合状態の各連結部３を外側から覆うように環状に形成するとともに、各連結部３の係合状態を解除可能な位置まで補強具本体２の周方向に移動可能に設けたので、保持部材４の移動によって各連結部３の係合状態の保持及び解除を容易に行うことができ、保持部材４の操作性を向上させることができる。
【００２０】
更に、補強具本体２の周方向所定位置に設けた一対の固定部材５をヘルメットＨの縁部に係止することにより、補強具本体２をヘルメットＨに固定するようにしたので、補強具本体２をヘルメットＨに確実に取付けることができ、補強具本体２の着脱も容易に行うことができる。
【００２１】
尚、前記実施形態では、各連結部３を複数の凹部３ａ及び複数の凸部３ｂが係合するようにしたものを示したが、他の構造として、例えばネジの螺合によって連結するとともに、ネジの回動によって連結位置が補強具本体２の周方向に変わるように構成してもよい。
【図面の簡単な説明】
【００２２】
【図１】本発明の一実施形態を示す補強具及びヘルメットの斜視図
【図２】ヘルメットに装着された補強具の斜視図
【図３】ヘルメットに装着された補強具の側面断面図
【図４】補強具本体の斜視図
【図５】補強具本体の斜視図
【図６】連結部の側面図
【符号の説明】
【００２３】
１…補強具、２…補強具本体、３…連結部、３ａ…凹部、３ｂ…凸部、４…保持部材、５…固定部材。
【図１】
2006336172.tif 000003
【図２】
2006336172.tif 000004
【図３】
2006336172.tif 000005
【図４】
2006336172.tif 000006
【図５】
2006336172.tif 000007
【図６】
2006336172.tif 000008